(57)【特許請求の範囲】
【請求項１】
２つのベッドを有し、各ベッドはベッド本体及びベッド本体の長手方向一端にヘッドボードを取付ける取付部を備えたベッド装置において、
上記ヘッドボードは、上記取付部に対して角度を変えて取付け可能であるとともに、その上端部のデザインは、取付け角度を変えることで、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となることを特徴とするベッド装置。
【請求項２】
上記ヘッドボードの上端面は、その幅方向中心に対して左右対称の円弧形状であることを特徴とする請求項１記載のベッド装置。
【発明の詳細な説明】
【０００１】
【発明の属する技術分野】
この発明はベッド本体の長手方向一端側にヘッドボードが設けられるベッド装置に関する。
【０００２】
【従来の技術】
一般に、ベッド装置はベッド本体を有し、このベッド本体の長手方向一端側にはヘッドボードが設けられている。ヘッドボードはベッド装置の外観や性能上、重要な役割を持っており、そのデザインによって商品価値を大きく左右する。
【０００３】
一方、ベッド装置は、その幅寸法によってクイーンサイズ、ダブルサイズ、セミダブルサイズ、シングルサイズあるいはシングルサイズよりもさらに幅寸法の小さいＳサイズ（セミシングルサイズ）等があり、種々の利用パターンに応じて適したサイズのベッド装置が選択される。
【０００４】
ところで、ベッド装置は長期間にわたって使用されるものであり、購入当初と年月を経た時点などでは利用者にとって最適なサイズが異なることがある。たとえば、新婚時にはダブルサイズのベッド装置が良いと考えて購入したものの、ダブルサイズのベッド装置では双方の寝返りなどによる睡眠妨害が気になるようなことがあり、また病気などの時も不便なことがある。
【０００５】
そこで、シングルサイズやＳサイズのベッドを２台購入し、これら２台のベッドを接合してクイーンサイズやダブルサイズの１台のベッドとして利用し、睡眠妨害が気になったり、病気などの時には２台のベッドを離して利用するということが考えられている。
【０００６】
【発明が解決しようとする課題】
２台のベッドを接合して利用する場合、２台のベッドの２つのヘッドボードはあたかも１つのヘッドボードとしての外観を呈するデザインであることが望ましく、また２台のベッドを分離して利用する場合には各ベッドのヘッドボードが独立したデザインとしての外観を呈することが望まれている。
【０００７】
しかしながら、従来のベッド装置においては、ヘッドボードは１つのベッド用にデザインされているだけであるため、２台のベッドを並設したときと分離したときとで、上記ヘッドボードがそれぞれの使用形態に応じて外観的に良好なデザインにならないということがあった。
【０００８】
この発明は、２つのベッドを接合したり、分離して使用する場合、いずれの使用形態であっても、ヘッドボードが外観的に良好なデザインを呈することができるようにしたベッド装置を提供することにある。
【００１０】
【課題を解決するための手段】
請求項１の発明は、２つのベッドを有し、各ベッドはベッド本体及びベッド本体の長手方向一端にヘッドボードを取付ける取付部を備えたベッド装置において、
上記ヘッドボードは、上記取付部に対して角度を変えて取付け可能であるとともに、その上端部のデザインは、取付け角度を変えることで、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となることを特徴とするベッド装置にある。
【００１１】
請求項２の発明は、上記ヘッドボードの上端面は、その幅方向中心に対して左右対称の円弧形状であることを特徴とする請求項１記載のベッド装置にある。
【００１２】
このような構成とすることで、２つのベッドを並設して使用する場合と、分離して使用する場合とで各ベッドのヘッドボードの取付部に対する取付け角度を変えることで、それぞれの使用形態に応じて良好な外観を呈することが可能となる。
【００１３】
【発明の実施の形態】
以下、この発明の一実施の形態を図面を参照して説明する。
【００１４】
図１は２つのベッド１，２を並設して使用する状態を示す斜視図で、図２は分離して使用する状態を示している。
【００１５】
上記各ベッド１，２はベッド本体３を備えている。ベッド本体３は矩形板状の載置部４と、この載置部４の下面四隅部に設けられた脚体５と、上記載置部４の長手方向一端部に設けられた取付部６とからなる。
【００１６】
上記取付部６にはヘッドボード７が後述するように取付け角度を変えることができるように取付けられ、上記載置部４にはこの載置部４とほぼ同じ大きさのマットレスＭが載置される。
【００１７】
なお、上記ヘッドボード７は下端面が直線形状７ａとなっており、上端面は幅方向中心に対して左右対称な円弧形状７ｂに形成されている。
【００１８】
上記取付部６は、図３と図４に示すように上記載置部４の一端部の幅方向中途部に所定間隔でほぼ垂直に立設されたパイプ材からなる一対の取付け杆８と、この取付け杆７よりも上記載置部４の幅方向外側にほぼ垂直に立設された上記取付け杆４よりも細径なパイプ材によって形成された一対の支持杆９と、これら取付け杆８と支持杆９との上端に連結されてほぼ水平に設けられた横杆１０とによって形成されている。上記一対の取付け杆８の下端部にはそれぞれ同じ高さに通孔１１（図５に示す）がベッド本体３の長手方向に沿って形成されている。
【００１９】
上記ヘッドボード７は、上記載置部４と逆方向を向いた背面に板材を断面クランク形状に折曲した係止具１２が取付けられ、さらにヘッドボード７の背面の下端部には幅方向に沿って５つのねじ孔１３ａ〜１３ｅが一対の取付け杆７の間隔の２分の１の間隔で形成されている。これらのねじ孔１３ａ〜１３ｅは、たとえばナットを上記ヘッドボード７にインサートすることで形成されている。
【００２０】
また、５つのねじ孔１３ａ〜１３ｅは中央のねじ孔１３ｃを中心にして左右各２つのねじ孔１３ｂ，１３ａ及び１３ｄ，１３ｅが順次上方に位置するよう配置されている。つまり、５つのねじ孔は、ねじ孔１３aを中心にして左右対称のほぼＶ字状に配置されている。
【００２１】
図２に示すように２つのベッド１，２を分離して使用する場合、ヘッドボード７は、上記係止具１２を上記取付部６の横杆９に係合させる。それによって、上記ヘッドボード７は上端面の円弧形状７ｂがベッド１，２の幅方向中心に対して左右対称となる角度、つまり下端面の直線形状７ａをほぼ水平となる状態で取付部６に支持される。
【００２２】
この状態で、図４に示すようにヘッドボード７の５つのねじ孔のうち、ねじ孔１３ｂとねじ孔１３ｄとが取付け杆８に形成された通孔１１に対向する。したがって、ねじ１４を、上記通孔１１を通して上記ねじ孔１３ｂ，１３ｄにそれぞれねじ込むことで、上記ヘッドボード７を取付部６に取付けることができる。このときのヘッドボード７の傾き角度、つまりその下端面の直線形状７ｂの水平方向に対する傾き角度は０度である。
【００２３】
図１に示すように、２つのベッド１、２を並設して使用する場合には、一方のベッド１のヘッドボード７はその一対の取付け杆８の通孔１１に対してねじ孔１３ａとねじ孔１３ｃとを対向させた状態でねじ１４によってヘッドボード７を固定する。
【００２４】
それによって、ベッド１のヘッドボード７は、下端面の直線形状７ａが図３に示すように水平線に対して角度θで傾斜する。つまり、ヘッドボード７は上端面の円弧形状７ｂがベッド１の幅方向中心に対して非対称の状態となる。
【００２５】
また、他方のベッド２のヘッドボード７はその一対の取付け杆８の通孔１１に対してねじ孔１３ｃとねじ孔１３ｅとを対向させた状態でねじ１４によってヘッドボード７を固定する。それによってベッド１のヘッドボード７は、下端面の直線形状７ａが水平線に対して一方のベッド１のヘッドボード７と逆方向に角度θで傾斜する。この角度を−θとする。
【００２６】
このように、一対のベッド１，２のヘッドボード逆方向に同じ角度で傾斜して取付部６に取付けられることで、図１に示すように２つのベッド１，２の互いの一側を接触させて並設すると、図３に示すように一対のヘッドボード７の互いの一側も接触し、これらヘッドボード７の上端面の円弧形状７ｂはベッド１，２の接触部を中心にして左右対称の１つの円弧形状となる。
【００２７】
このように、ベッド１，２のヘッドボード７の上端面を円弧形状７ｂに形成したことで、２つのベッド１、２を並設して使用する場合には、各ベッド１，２のヘッドボード７をそれぞれ角度θ及び角度−θで傾斜させて取付ければ、これらヘッドボード７の曲線形状７ｂが１つの円弧形状となり、あたかも１つのヘッドボードのような外観を呈するから、ベッド装置の外観形状を良好に維持することになる。
【００２８】
２台のベッド１、２を分離して使用する場合には、各ベッド１，２のヘッドボード７を、下端面の直線形状７ａがほぼ水平になるよう、取付部６にそれぞれ取付ける。それによって、各ヘッドボード７の円弧形状７ｂは、各ベッド１，２の幅方向中心に対して左右対称の形状となる。そのため、各ヘッドボード７は、それぞれのベッド１，２専用のヘッドボードとしての外観を呈するから、その場合も各ベッド１，２の外観を損なうことなく利用することができる。
【００２９】
すなわち、ヘッドボード７の上端面を円弧形状７ｂとし、このヘッドボード７を取付部６に対して取付け角度を変えて取付けることができるようにしたから、２台のベッド１，２を並設して使用する場合と、分離して使用する場合とで、それぞれの使用形態に適したデザインとすることができる。
【００３０】
また、ヘッドボード７を、取付部６に対してその直線形状７ａが水平な状態と、角度θ及び角度−θで傾斜させて取付けるためには、４つのねじ孔を設ければよいが、５つのねじ孔を設けたことで、ベッド１のヘッドボード７をベッド２に、またベッド２のヘッドボード７をベッド１に利用することができる。つまり、ヘッドボード７を角度θ或いは角度−θの左右どちらの方向にも傾斜させて使用することができる。
【００３３】
請求項１の発明によれば、ヘッドボードをベッド本体に対して取付け角度を変えて取付けることができるようにするとともに、その取付け角度によって、２つのベッドを分離したときには１つのベッドの幅方向中心に対して１つのヘッドボードが左右対称の形状となり、２つのベッドを並設したときには２つのヘッドボードが２つのベッドの接触部を中心にして左右対称の形状となるようにした。
【００３４】
そのため、２つのベッドを並設して使用するときと、分離して使用するときのいずれの場合であっても、ヘッドボードがベッドに適合したデザインを呈するため、外観的に良好である。
【００３５】
請求項２の発明によれば、ヘッドボードの上端面を幅方向中心に対して左右対称の円弧形状に形成した。
【００３６】
そのため、ヘッドボードを取付部に対して所定の角度で傾斜して取付けた状態で２つのベッドを並設すると、２つのベッドに設けられた一対のヘッドボードの上端面が１つの円弧形状となるから、外観的に良好である。
【図面の簡単な説明】
【図１】  この発明の一実施の形態を示す一対のベッドを並設した使用形態の斜視図。
【図２】  同じく一対のベッドを分離した使用形態の斜視図。
【図３】  同じく一対のベッドを並設したときにベッドの取付部側から見た側面図。
【図４】  同じく一対のベッドを分離したときにベッドの取付部側から見た側面図。
【図５】  同じくヘッドボードを取付部に取付けた状態の一部断面した側面図。
【符号の説明】
１，２…ベッド
３…ベッド本体
６…取付部
７…ヘッドボード
７ａ…直線形状
７ｂ…曲線形状
【図１】
0003682185.tif 000002
【図２】
0003682185.tif 000003
【図３】
0003682185.tif 000004
【図４】
0003682185.tif 000005
【図５】
0003682185.tif 000006